(57)【要約】【課題】仕切網を支持するフロートを経年劣化から保護し、美観が損なわれないようにする。【解決手段】フィラメントワインディング法により製造された強化プラスチック製の筒状部材１と、その筒状部材１の筒軸方向端部を閉じる蓋体２とを備えたフロート用カバーを用い、浮子３を筒状部材１内に収容した状態でその筒軸方向両端部を蓋体２で閉じた仕切網支持用フロートとした。この構成によれば、浮子３がフロート用カバーによって覆われた状態で使用されるため、経年による浮子３の素材の変色、劣化や汚れが抑制され、美観を向上し得る。また、フィラメントワインディング法により製造された強化プラスチックは硬質であり、浮子３の素材に用いられる発泡スチロール等の発泡性樹脂やその他軽量な樹脂よりも、日光や水に対して相対的に劣化しにくく、また、その表面に汚れが付着しにくい。また、浮子３の交換のみ行えばフロート用カバーは継続して使用できるので経済的である。【選択図】図１
2013094136.tif 000002
【特許請求の範囲】
【請求項１】
フィラメントワインディング法により製造された強化プラスチック製の筒状部材（１）と、その筒状部材（１）の筒軸方向端部を閉じる蓋体（２）とを備えたフロート用カバーを用い、水に浮かぶことができる浮子（３）を前記筒状部材（１）内に収容した状態で前記筒状部材（１）の筒軸方向端部を前記蓋体（２）で閉じたことを特徴とする仕切網支持用フロート。
【請求項２】
請求項１に記載の仕切網支持用フロートに用いられるフロート用カバーであって、フィラメントワインディング法により製造された強化プラスチック製の筒状部材（１）と、その筒状部材（１）の筒軸方向端部を閉じる蓋体（２）とを備え、水に浮かぶことができる浮子（３）を前記筒状部材（１）内に収容できることを特徴とするフロート用カバー。
【発明の詳細な説明】
【技術分野】
【０００１】
この発明は、いけすや網場に用いられるフロートのカバーに関するものである。
【背景技術】
【０００２】
海や湖等で魚類を養殖するために、また、漂流物等を捕捉するために、水中を仕切網で仕切るいけすや網場が利用される。これらのいけすや網場の仕切網は、水面に浮かぶ複数のフロートで支持される。また、その仕切網の底部には、その仕切網の形状を維持するために錘（おもり）等が取り付けられる。
【０００３】
なお、水面に浮かぶフロートには、鋼製やＦＲＰ製の上部フレームが取付けられる場合が多い。仕切網の上端は、この上部フレームに固定されるか、又は、直接フロートに対して紐などで固定される（例えば、特許文献１，２参照）。
【０００４】
また、仕切網を支持するフロートとして、例えば、強化プラスチックやポリ塩化ビニル製の型枠内に、合成樹脂発泡体を充填したものがある（例えば、特許文献３，４参照）。
【０００５】
しかし、型枠内への樹脂充填により、その型枠と樹脂とを一体化したフロートは高価であり、内部の樹脂が劣化すれば高価な型枠を含むフロート全体を交換する必要がある。このため、一般的には、フロートの素材として、発泡スチロール等の合成樹脂発泡体の単体や、その他水に対して浮力を生じさせる樹脂の単体からなるフロートが多用される。
【先行技術文献】
【特許文献】
【０００６】
【特許文献１】特開平１１−１２７７２３号公報
【特許文献２】特開２００１−３５２８５７号公報
【特許文献３】実開昭５１−１２８９８５号公報
【特許文献４】実開昭５４−１３７５８４号公報
【発明の概要】
【発明が解決しようとする課題】
【０００７】
この種の樹脂の単体からなるフロートは、その樹脂素材が外部に露出しているため、経年により素材が急速に劣化する。フロートは、下部が常時水に浸かっていることに加え、上部が日光に曝されるからである。
【０００８】
フロートの素材が劣化すると、その素材の変色等により、美観が損なわれるという問題がある。特に、発泡スチロールを用いた場合は、その傾向が強い。例えば、白色や薄い色の発泡スチロールは、紫外線等の影響による変色や、藻の繁殖等により、比較的短期間で見た目が悪くなってしまうからである。また、フロートの素材が劣化すると、仕切網を係止している紐が緩むなど、その仕切網に対する支持力の減退も生じ得る。さらに、素材の劣化によりフロートが割れやすくなり、船舶等の衝突によって割れたフロートの破片が浮遊し漁業被害や環境破壊をもたらすという懸念もある。このため、フロートの交換は、定期的に行わなければならない。
【０００９】
フロートの交換は、場合によっては、仕切網の使用を一旦中断して行う必要がある等、手間のかかる作業である。また、フロートに使用される発泡スチロール等の合成樹脂は、材質によっては環境保全上支障をきたす場合もあり、その廃棄処理に多大な手間を必要とする。
【００１０】
そこで、本発明は、仕切網を支持するフロートを、経年劣化から保護するとともに、フロートの美観が損なわれないようにすることを課題とする。
【課題を解決するための手段】
【００１１】
上記の課題を解決するために、この発明は、フィラメントワインディング法により製造された強化プラスチック製の筒状部材と、その筒状部材の筒軸方向端部を閉じる蓋体とを備えたフロート用カバーを用い、水に浮かぶことができる浮子を前記筒状部材内に収容した状態で前記筒状部材の筒軸方向端部を前記蓋体で閉じたことを特徴とする仕切網支持用フロートを採用した。
【００１２】
また、上記の課題を解決するために、この発明は、前述の構成からなる仕切網支持用フロートに用いられるフロート用カバーであって、フィラメントワインディング法により製造された強化プラスチック製の筒状部材と、その筒状部材の筒軸方向端部を閉じる蓋体とを備え、水に浮かぶことができる浮子を前記筒状部材内に収容できることを特徴とするフロート用カバーを採用した。
【００１３】
このとき、浮子の素材としては、それ自体がその使用場所の水に浮く素材、例えば、発泡スチロール等の合成樹脂発泡体の単体や、その他水よりも比重が小さい樹脂の単体からなるものを用いることができる。
【００１４】
これらの構成によれば、仕切網を用いる海や湖等において、水に浮かぶ浮子がフロート用カバーによって覆われた状態で使用されるため、その浮子の素材が外部に露出しない。このため、経年による浮子の素材の変色、劣化や汚れが抑制され、フロートの美観を向上し得る。
また、フィラメントワインディング法により製造された強化プラスチックは硬質であり、浮子の素材に用いられる発泡スチロール等の発泡性樹脂やその他軽量な樹脂よりも、日光や水に対して相対的に劣化しにくく、また、その表面に汚れが付着しにくいといえる。
【００１５】
また、浮子の素材が劣化した場合でも、浮子の交換のみ行えばフロート用カバーは継続して使用できるので経済的である。
【００１６】
さらに、浮子の素材が劣化しないので、仕切網を係止している紐が緩むなど、その仕切網に対する支持力の減退も生じない。仕切網を係止する紐は、硬質のフロート用カバーに取付けることができる点も有効である。また、浮子が露出していないので、船舶等の衝突によって割れた浮子の破片が浮遊することもない。
【００１７】
なお、フィラメントワインディング法とは、ＦＲＰ（繊維強化プラスチック）の成形法の一つであり、樹脂を含浸させた強化繊維をマンドレル（断面円形の成形型）に巻き付けて成形し、それを加熱硬化炉で硬化させて完成品のパイプを得る方法である。
【００１８】
このように、フィラメントワインディング法により製造された強化プラスチック製の筒状部材であれば、その長さを自由に設定できる。特に、フィラメントワインディング法の連続成形であれば、筒状部材を切り出す際の長さ設定の自由度がより高い。
また、フィラメントワインディング法により製造された強化プラスチック製の筒状部材であれば、巻き回数を適宜増減することによって、その厚みを自由に設定できる。このため、所望の強度を容易に確保できる。
【００１９】
フロート用カバーの筒状部材内には、浮子を一つだけ収容することもできるし、二つ、三つ、あるいはそれ以上の個数を収容することもできる。このとき、浮子はフロート用カバー内で、不用意に動かないようになっていることが好ましい。
複数の浮子を一つのフロート用カバー内に収容するときは、浮力が筒軸方向に沿って均等に作用するように、浮子は、筒軸方向に沿って並列して収容することが望ましい。
【発明の効果】
【００２０】
この発明は、仕切網を支持するフロートを、経年劣化から保護するとともに、フロートの美観が損なわれないようにすることができる。
【図面の簡単な説明】
【００２１】
【図１】一実施形態の仕切網支持用フロートを示し、（ａ）は全体斜視図、（ｂ）は分解斜視図
【図２】同実施形態の仕切網支持用フロートの正面図
【図３】他の実施形態の仕切網支持用フロートの正面図
【図４】仕切網支持用フロートの使用状態を示す説明図
【発明を実施するための形態】
【００２２】
この発明の実施形態を、図面に基づいて説明する。図４は、この発明のフロート用カバー、仕切網支持用フロート１０を用いた魚類養殖用いけすの要部の外観図である。
【００２３】
魚類養殖用いけすの主たる構成は従来と同様であり、水面に浮かぶ仕切網支持用フロート１０と、その仕切網支持用フロート１０上に取付けられる上部フレーム１１とを備える。水中に配置された仕切網１２の上端は、上部フレーム１１に固定されるか、又は、直接に仕切網支持用フロート１０に対して紐１３などで固定されている。また、その仕切網１２の底部には、その仕切網１２の形状を維持するために錘（図示せず）等が取り付けられる。なお、仕切網１２としては、その形状は平面視矩形、円形のもの等公知のものが使用できる。仕切網１２の底部の形状も自由である。
【００２４】
仕切網支持用フロート１０は、フィラメントワインディング法の連続成形により製造され、所定の長さに切り出された強化プラスチック製の筒状部材１と、樹脂製の蓋体２，２とを備えたフロート用カバーを用いている。蓋体２の素材も、筒状部材１と同様に強化プラスチックとしてもよい。
【００２５】
このフロート用カバーの中に、水に浮かぶことができる浮子３を収容する。この浮子３の素材としては、それ自体がその使用場所の水に浮く素材であればよく、この実施形態では、発泡スチロール製のものを用いている。
【００２６】
図１（ｂ）に示すように、この浮子３を筒状部材１内に収容し、その状態で、図１（ａ）に示すように、筒状部材１の筒軸方向両端部をそれぞれ蓋体２，２で閉じる。浮子３の断面（筒軸方向に直交する断面）は、筒状部材１内にぴったりと嵌る断面、あるいは、出し入れがしやすいように筒状部材１の内面との間にやや隙間を生じさせる断面となっていることが好ましい。また、浮子３の筒軸方向長さも、筒状部材１内にぴったりと収まる長さ、あるいは、蓋体２の取付けがしやすいようにその蓋体２の内面との間にやや隙間を生じさせる長さとなっている（図２参照）ことが好ましい。この構成により、浮子３はフロート用カバー内で不用意に動かないようになっている。
【００２７】
そして、蓋体２を筒状部材１に対して固定手段４で固定する。固定手段４としては、ビス、ピン等を採用することができる。この実施形態では、固定手段４としてタッピングビスを使用し、接着剤を併用している。
【００２８】
この仕切網支持用フロート１０によれば、仕切網１２を用いる海や湖等において、水に浮かぶ浮子３がフロート用カバーによって覆われた状態で使用されるため、その浮子３の素材が外部に露出しない。このため、経年による浮子３の素材の変色、劣化や汚れが抑制され、フロートの美観を向上し得る。
また、フィラメントワインディング法により製造された強化プラスチックは硬質であり、浮子３の素材に用いられる発泡スチロール等の発泡性樹脂やその他樹脂よりも、日光や水に対して相対的に劣化しにくく、また、その表面に汚れが付着しにくいといえる。さらに、その強化プラスチックの表面に塗装を施すことで、耐候性をさらに向上させることもできる。
【００２９】
また、仕切網１２を支持するための紐１３は、筒状部材１の外周に巻回される。筒状部材１は硬質であるから、発泡スチロールに直接紐を巻回した際のように、紐１３がフロートに食い込む現象を生じさせない。また、浮子３が露出していないので、船舶等の衝突によって割れた浮子３の破片が浮遊することもない。
【００３０】
なお、筒状部材１の中には水が浸入しても差し支えないが、その筒状部材１と蓋体２との間をパッキン等により止水すれば、浮子３が水に触れることを完全に防止できる。このため、浮子３の素材の劣化をさらに確実に抑えることができる。
【００３１】
また、浮子３の素材が劣化した場合でも、浮子３の交換のみ行えばフロート用カバーは継続して使用できるので経済的である。
【００３２】
この実施形態では、フロート用カバーの筒状部材１内に浮子３を一つだけ収容したが、例えば、図３に示すように、一つの筒状部材１内に、二つの浮子３を収容することもできる。さらには、三つ以上の個数の浮子３を収容することもできる。
【００３３】
複数の浮子３を一つのフロート用カバー内に収容するときは、浮力が筒軸方向に沿って均等に作用するように、浮子３は、図３に示すように、筒軸方向に沿って並列して収容することが望ましい。
【００３４】
このとき、浮子３の断面（筒軸方向に直交する断面）は、筒状部材１内にぴったりと嵌る断面、あるいは、出し入れがしやすいように筒状部材１の内面との間にやや隙間を生じさせる断面となっていることが好ましい点は、前述の実施形態と同様である。また、浮子３の筒軸方向長さの合計も、筒状部材１内にぴったりと収まる長さ、あるいは、蓋体２の取付けがしやすいようにその蓋体２の内面との間にやや隙間を生じさせる長さとなっている（図３参照）ことが望ましい。この構成により、浮子３はフロート用カバー内で不用意に動かないようになっている。
【符号の説明】
【００３５】
１  筒状部材
２  蓋体
３  浮子
４  固定手段
１０  仕切網支持用フロート
１１  上部フレーム
１２  仕切網
１３  紐
【図１】
2013094136.tif 000003
【図２】
2013094136.tif 000004
【図３】
2013094136.tif 000005
【図４】
2013094136.tif 000006